(57)【要約】  プレゼンテーションの初回配信通知。番組ガイドまたは録画された番組リスト上のインジケータは、ユーザに、以前の番組ガイドでは一度も配信されたことのない初回配信プレゼンテーションと、以前配信されたことのあるプレゼンテーションとの迅速な区別を可能にさせる。前記初回配信プレゼンテーションは、背景色，特殊アイコン，文字色，または特定文字といったインジケータにより区別することができる。録画された番組リストにおける視聴済みのプレゼンテーションの通知。録画された番組リスト上のインジケータは、ユーザに、少なくとも一部を視聴済みのプレゼンテーションと、いまだ視聴していないものとの迅速な区別を可能にさせる。
2010511328.tif 000002
【特許請求の範囲】
【請求項１】
インタラクティブ番組ガイド(IPG)内で初回配信プレゼンテーションを区別する方法において、前記方法は、
時間およびチャンネルにより構成されている複数の番組インスタンスでＩＰＧを提示するステップと、
初回出現の１または２以上のプレゼンテーションである１または２以上の番組インスタンスを示すステップと、
を具備することを特徴とする方法。
【請求項２】
前記番組インスタンスを示すステップは、
前記初回出現の１または２以上のプレゼンテーションのための背景色を提示するステップを具備し、
前記背景色は、前記１または２以上のプレゼンテーションのその後のプレゼンテーションにおける背景色から区別可能であることを特徴とする請求項１に記載の方法。
【請求項３】
前記番組インスタンスを示すステップは、前記初回出現の１または２以上のプレゼンテーションのためのアイコンを提示するステップを具備することを特徴とする請求項１に記載の方法。
【請求項４】
前記番組インスタンスを示すステップは、前記初回出現の１または２以上のプレゼンテーションのタイトルに色をつけた文字を提示するステップを具備し、
前記色をつけた文字は、前記１または２以上のプレゼンテーションのその後のプレゼンテーションにおける色をつけた文字から区別可能であることを特徴とする請求項１に記載の方法。
【請求項５】
前記番組インスタンスを示すステップは、前記初回出現の１または２以上のプレゼンテーションのための特定文字を提示するステップを具備することを特徴とする請求項１に記載の方法。
【請求項６】
前記番組ガイドで利用するためのインジケータをユーザが選択するステップをさらに具備することを特徴とする請求項１に記載の方法。
【請求項７】
インタラクティブ番組ガイド(IPG)の録画された番組リスト内での初回配信プレゼンテーションを区別するための方法において、前記方法は、
時間およびチャンネルにより構成されている複数の番組インスタンスでＩＰＧを提示するステップと、
初回出現の１または２以上のプレゼンテーションである１または２以上の番組インスタンスを示すステップと、
を具備することを特徴とする方法。
【請求項８】
インタラクティブ番組ガイド(IPG)内で現在提示されている１または２以上の番組インスタンスに使用されるインジケータであって、
前記ＩＰＧが、少なくとも前記番組インスタンスのいくつかの複数の出現を表示し、
前記インジケータが、前記１または２以上の番組インスタンスが初回出現の１または２以上の番組インスタンスであることを示すことを特徴とするインジケータ。
【請求項９】
複数の番組インスタンスを提供するインタラクティブ番組ガイドであって、
少なくとも前記複数の番組インスタンスの一部は、初回配信番組インスタンスであり、
前記初回配信番組インスタンスのリストは、前記ＩＰＧからアクセス可能であることを特徴とするインタラクティブ番組ガイド。
【請求項１０】
前記初回配信番組リストは、指定されたカテゴリで分類された番組インスタンスを除外することを特徴とする請求項９に記載の番組リスト。
【請求項１１】
インタラクティブ番組ガイド(IPG)の録画された番組リスト内において、少なくとも一部を視聴したプレゼンテーションを未視聴のプレゼンテーションから区別するための方法であって、前記方法は、
ネットワーク化されたマルチルームシステム(NMS)のプライマリデバイスを提供するステップと、
前記ＮＭＳの１または２以上のリモートデバイスを提供するステップと、
ＩＰＧから録画された番組リストをアクセスするステップと、
少なくとも一部が視聴された前記録画された番組リスト内の１または２以上の番組インスタンスを示すステップと、
を具備することを特徴とする方法。
【請求項１２】
前記番組インスタンスを示すステップは、前記ＮＭＳの特定ユーザと関係付けられたアイコンを提示するステップを具備することを特徴とする請求項１１に記載の方法。
【請求項１３】
前記番組インスタンスを示すステップは、前記プライマリデバイスと前記リモートデバイスの１つとのそれぞれに関係付けられたアイコンを提示するステップを具備することを特徴とする請求項１１に記載の方法。
【請求項１４】
前記番組インスタンスを示すステップは、少なくとも一部が、対応するユーザに視聴された前記１または２以上の番組インスタンスのために、特定文字を提示するステップを具備することを特徴とする請求項１１に記載の方法。
【請求項１５】
前記番組インスタンスを示すステップは、少なくとも一部が視聴された前記１または２以上の番組インスタンスのために、前記プライマリデバイスおよび前記リモートデバイスの１つのそれぞれに対応する特定文字を提示するステップを具備することを特徴とする請求項１１に記載の方法。
【発明の詳細な説明】
【技術分野】
【０００１】
本発明は、一般にブロードバンド通信システムに関する。さらに詳しくは、インタラクティブ番組ガイドを有するネットワークマルチメディアシステムの分野に関する。
【背景技術】
【０００２】
現在、衛星放送やケーブルテレビシステムといったブロードバンド通信システムは、アナログ放送映像に加え、多くのサービスを提供可能である。向上したプログラミングを実装することで、いわゆるセットトップボックスとして知られているセットトップ端末(STT)は、種々のビデオサービスをアクセスするための重要なコンピュータ・デバイスとなっている。従来型アナログ放送映像機能のサポートに加え、現在、多くのSTTは、例えば、インタラクティブ番組ガイド(IPG)，ピクチャー・イン・ピクチャー(PIP)表示，ビデオ・オン・デマンド(VOD)，サブスクリプション・ビデオ・オン・デマンド(SVOD)，および電子メールといった昔から従来のコンピュータに関連する機能など、他の機能も提供する。近年、新たな機能が従来のSTTに追加されている。すなわち、受信(incoming)ビデオストリームをデジタル化した形式でハードディスクドライブなどの大容量記憶装置上に録画するとともに、録画されたビデオをユーザの所望のとおりに再生する能力である。この機能は、"デジタルビデオレコーダ"(DVR)またはパーソナルビデオレコーダ(PVR)として知られており、キャプチャおよび従来の番組内容のその後の再生のためのビデオテープレコーダに置き換わるすぐれたものと見られている。
【０００３】
ＳＴＴは、通常テレビに接続されるとともにケーブルまたは衛星システムの加入者の家に設置されている。前記STTは加入者の敷地内に設置されているために、２人またはそれ以上のユーザにより通常使用されうる(例えば、家族により)。米国において、典型的な家庭では、テレビは、２台またはそれ以上を所有しているかもしれないほど一般的になった。そして、加入者が向上した機能の利用を望むのであれば、それぞれのテレビに、それ専用のSTTを必要とする。
【０００４】
ネットワークマルチメディアシステム(NMS)に関しては、２００３年１月１５日出願の米国特許出願第１０／３４２，６７０号に記載されており、その開示および技術は引用により本明細書に組み入れられている。前記ＮＭＳは、敷地内の複数のリモートデバイスの、ローカルにおけるネットワーク化を可能にする(すなわち、ホームネットワーク)。前記ＮＭＳにおいて典型的には、リモートデバイスの１つは、サーバまたはプライマリデバイス(すなわち、プライマリセットトップ端末(STT))として動作する。前記プライマリデバイスは、要求に応じて、広帯域マルチメディアプレゼンテーション(例えば、アナログまたはデジタルテレビチャンネル(すなわち、オーディオ／ビデオ信号)，IP信号，ビデオ・オン・デマンド(VOD)信号，制御信号(administrative signals)など)を受信するとともに、前記ローカルネットワークを介し前記複数のリモートデバイス(すなわち、クライアントデバイス)へ向けて転送する。さらに、前記リモートデバイスはそれぞれ、例えば格納されたまたは録画されたプレゼンテーション、インタラクティブ番組ガイド、またはネットワークガイドといった、常駐のプレゼンテーションを要求し、前記プライマリデバイスから、途切れなく受信できる。付加的に、前記リモートデバイスは、単独でプレゼンテーションを通信ネットワークから受信するとともに通信ネットワークへのアップストリーム信号を送信してもよい。従って、前記リモートデバイスは、簡易化でき、前記プライマリデバイスの廉価バージョンではあるが、プライマリデバイスで利用可能なメモリ，大容量記憶装置，ソフトウェアアプリケーション，またはヘッドエンドに信号を送り返すインフラストラクチャといったいくつかまたすべての高度なハードウェアおよびソフトウェアの機能を、前記ＮＭＳを介し利用できる。
【発明の概要】
【発明が解決しようとする課題】
【０００５】
典型的に、有料テレビ(Subscription television)システムは、プライマリデバイスおよびリモートデバイス１５０−１から１５０−ｎの両方からアクセス可能なインタラクティブ番組ガイド(IPG)を備える。前記ＩＰＧは、すべてのチャンネルにおける指定した日数の番組ラインアップおよび作品情報(episode information)を含む番組グリッドメニューの画面表示を提供する。前記番組グリッドメニューは、さまざまに配置しうる。前記番組グリッドメニューそれ自体は、ユーザがリモコン上の矢印キーを使用して、番組グリッドメニューを操作(navigate)しうるユーザインターフェースである。前記ユーザは、選択された時間帯内での所望の番組が強調表示されるまで番組のリスト内を操作またはスクロール可能である。ひとたび所望のフィールドが選択可能なアイテムとして強調表示されたならば、ユーザはリモコン上のセレクトボタンを使用することで強調表示されたフィールドを選択しうる。
【０００６】
ＩＰＧ内の前記番組ラインアップおよび作品情報は、番組インスタンスが以前配信されたものか、初回の配信かを区別していない。したがって、ケーブルオペレータにより、以前示されていた番組インスタンスから、初回配信(first run)番組インスタンスを、ユーザが簡単に確認できる必要性が存在する。
【図面の簡単な説明】
【０００７】
本発明は以下の図面を参照することでより理解しうる。発明の原理を明確に図示するために、図面中の要素は、必ずしも縮尺のとおりには描かれていない。図面において、類似の参照符号は、別々の図面においても同一の対応する部分を指示している。
【０００８】
【図１】従来の広帯域通信システムを用いたネットワーク化されたマルチルームシステム(NMS)の非限定的な実施形態の一例を示す簡略化したブロック図である。
【図２】図１のＮＭＳにおいて好適なインタラクティブ番組ガイド(IPG)の非限定的な実施形態の一例を示した図である。
【図３】初回配信番組インスタンスのみを表示している図２のIPGを示す図である。
【図４】指定カテゴリ内の初回配信番組インスタンスのみを表示している図２のIPGを示す図である。
【図５】初回配信プレゼンテーションを区別できるように表示されている録画された番組リスト画面の非限定的な一例を示している。
【図６】視聴済み番組を区別できるように表示されている録画された番組のリスト画面の非限定的な一例を示している。
【発明を実施するための形態】
【０００９】
本発明の実施形態は、広帯域通信システムおよびローカルネットワークのコンテクストにおいて理解される。しかし、本発明は多くの異なった形状の実施形態でありうるし、また本明細書で説明される実施形態に限定して解釈すべきではないことに注意(Note)が必要である。ほんの数例を挙げれば、例えば、転送される広帯域信号は、少なくともビデオ／オーディオ信号，テレフォニー信号，データ信号，またはインターネットプロトコル(IP)信号のうちの１つを含みうる。そのうえ、転送される広帯域信号を受信するローカルネットワークシステムが備えるリモートデバイスは、セットトップ端末(STT)，テレビ，コンピュータ，携帯情報端末(PDA)，または他の表示装置であってよい。さらに、本発明に従うマルチルームインタラクティブネットワークガイドは、種々の、特徴，機能，および表示されるときのプレゼンテーションを持ちうる。本明細書で開示したすべての例は、それゆえ、非限定的であることを意味するとともに、本発明の説明が明白になるように提供される。
【００１０】
図１は、従来の広帯域通信システム１００の非限定的な一実施例を示している単純化したブロック図である。この実施例において、前記通信システム１００は、ローカルネットワーク化されたマルチルームシステム(NMS)１１０を有している。前記マルチルームシステム(NMS)１１０は、通信ネットワーク(CN)１３０を介し、ヘッドエンド(HE)１２０に接続されている。もしくは、前記ＨＥ１２０と通信する単一のプライマリデバイスを有するのでもよい。前記ＣＮ１３０は、ほんの数例を挙げれば、オーディオ／ビデオ信号，IP信号，テレフォニー信号，またはデータ信号といったブロードバンドマルチメディア信号（好適にはダウンストリームおよびアップストリーム）を搬送(carrying)するために適当な任意のネットワークであってよい。前記ＣＮ１３０は、例えば、ハイブリッドファイバー／同軸(HFC)ネットワーク，ファイバー・トゥ・ザ・ホーム(FTTH)ネットワーク，衛星ネットワーク，または固定無線ネットワーク(例えば、MMDS)といったネットワークでありうる。
【００１１】
前記ＨＥ１２０は、ビデオ信号，オーディオ信号，および／またはデータ信号といった広帯域信号を、前記ＣＮ１３０を介してプライマリデバイス１４０に提供するための１または２以上のサーバデバイスを具備している。前記ＨＥ１２０および前記プライマリデバイス１４０は、共同して種々のサービスをユーザに提供する。前記サービスは、例えば、アナログ又はデジタルテレビ放送およびチャンネル，ビデオ・オン・デマンド(VOD)サービス、および／またはペイパービュー(PPV)サービスなどである。通常、それぞれのテレビ放送チャンネルは、テレビ局(例えば、ABC，NBC，CBS，またはFNN)に対応するテレビプレゼンテーションのシーケンスを提供する。そしてそれぞれのテレビ放送チャンネルは、いつでもユーザが利用できるチャンネル番号(例えば、チャンネル２，チャンネル３，チャンネル４)により通常認識されている。また、通常ＰＰＶサービスは、常に前記プライマリデバイス１４０に転送され、前記プライマリデバイス１４０上でのみ供給されるまま視聴可能である。他方では、一般的に前記プライマリデバイス１４０は、ＶＯＤサービスを要求し、その後前記ＨＥ１２０は、プレゼンテーションダウンストリームを前記プライマリデバイス１４０に転送する。
【００１２】
前記ＮＭＳは、ルータを備えることもできるが、図１に示すように、前記ＮＭＳ１１０は、スプリッタ／アイソレータモジュール（ＳＩＭ）１６０を具備している。前記ＳＩＭ１６０は、前記ＨＥ１２０からダウンストリーム広帯域信号を受信し、その後、前記ダウンストリーム信号を、実装に応じて、前記プライマリデバイス１４０に、または前記プライマリデバイス１４０および任意の１またはすべてのリモートデバイス１５０−１から１５０−ｎの双方に提供する。リモートデバイス１５０−１から１５０−ｎの少なくとも１つからのコマンドにより、前記プライマリデバイス１４０も、例えば、選択されたリアルタイムダウンストリーム信号および／または格納されたコンテンツ信号を、要求するリモートデバイス１５０−１にＳＩＭ１６０を介して転送する。前記リモートデバイス１５０−１は、格納されたプレゼンテーション，リアルタイム信号，またはネットワークガイドを要求するリバースコントロール／命令信号を、同軸ケーブルを介し送信することにより、前記プライマリデバイス１４０と通信する。電話回線またはデータケーブルといった他の有線メディアは、搬送(transport)フォーマットが所望の転送(transmission)メディアに適合する限りは使用してよい。前記リモートデバイス１５０−１から１５０−ｎは、前記ヘッドエンドから前記ＳＩＭ１６０を介し、ダウンストリーム信号を直接受信するとともに、プライマリデバイス１４０のハードウェアおよびソフトウェア機能のすべてを利用できる。したがって、前記リモートデバイス１５０−１から１５０−ｎは、プレゼンテーションを録画および格納するための記憶装置を有しないといった制限されたリソースであってもよい。それにより、前記プライマリデバイス１４０にネットワーク化されているリモートデバイス１５０−１から１５０−ｎの全てに最新サービスを提供すると同時にサービスプロバイダおよびサービス利用者の全体の費用の削減が可能である。
【００１３】
さらに、前記プライマリデバイス１４０は、アナログおよびデジタルチャンネル，格納されたプレゼンテーション，またはネットワークガイドといったさまざまな信号を、接続されている表示デバイス１８０に直接提供してもよい。前記表示デバイス１８０は、例えば、テレビ，コンピュータ，またはＰＤＡ（携帯情報端末）といったものである。前記プライマリデバイス１４０は、無線装置（例えばＲＦまたはＩＲデバイス）または有線メディア（例えば、同軸ケーブル，電源ライン，または電話線)を介し、信号を表示デバイス１８０に転送するとともに表示デバイス１８０からコントロール信号を受信する。当然、前記プライマリデバイス１４０を、前記表示デバイスに組み込んでもよい。
【００１４】
本発明の一実施形態における前記プライマリデバイス１４０は、プロセッサ，チューナーシステム，記憶装置，モジュレータ，およびリモートデバイス通信受信機を具備する。リモートデバイス１５０−１といったリモートデバイスのそれぞれは、前記プライマリデバイス１４０と同一でもよく、前記プライマリデバイス１４０の記憶装置のコンテンツを共有する。あるいは、前記リモートデバイス１５０−１は、単純化されたものまたは従来型のプライマリデバイスであってもよい。プロセッサとチューナーシステムは、簡易化したプロセッサと、受信したダウンストリーム広帯域信号からチャンネルを抽出するためのただ１つのチューナーと、を具備してもよい。適切な処理および表示のために、符号化された信号を復号するためのデクリプターおよびデコーダがさらに具備されうる。好適には、前記リモートデバイス１５０−１は、ＩＲレシーバーまたはＲＦレシーバーといったユーザ入力レシーバーを備える。それらのレシーバーは、ＩＲリモートコントロールまたはＲＦリモートコントロールといったリモートコントロールからの信号を受信する。前記リモートコントロールは必要ではなく、任意のユーザ入力デバイスが前記リモートデバイス１５０−１と結合可能である。
【００１５】
前記リモートデバイス１５０−１によるユーザ入力，プレゼンテーションの要求，リバース命令信号は、リモートデバイス１５０−１からＳＩＭ１６０を介してプライマリデバイス１４０に転送される。前記リモートデバイスコマンドレシーバーは、前記命令信号を受信するとともに、周波数偏移変調(FSK)またはオンオフ変調(OOK)転送といった、その転送方式に従って復調する。引き続いて、前記プロセッサは、要求された動作(例えば、プレゼンテーションの要求)を示す復調された命令信号を受信する。そして指示に従ってチューナーを、例えばリアルタイムダウンストリーム信号を搬送しているチャンネルに調整したり、または前記プロセッサが記憶装置からの格納されたプレゼンテーションを読み出したりする。前記プレゼンテーションのコンテンツ信号はその後モジュレータに提供される。前記モジュレータは、選択されたプレゼンテーションをＳＩＭ１６０に転送する前に変調する。本発明の好適な実施形態では、直交振幅変調(QAM)モジュレータを使用する。前記直交振幅変調(QAM)モジュレータは、ケーブルテレビ環境における同軸ケーブルを介して信号を効果的に転送するために使用される。
【００１６】
前記プライマリデバイス１４０の記憶装置に格納された前記プレゼンテーションは、番組識別子(PIDs)を具備する。前記番組識別子は、索引をつけられるとともにプライマリデバイスのメモリ内にテーブル状に格納される。前記リモートデバイス１５０−１から１５０−ｎは、変調前に格納された番組のPID値を異なるPID値に再配置することで１つの格納されたプレゼンテーションを視聴しうる。このように、転送されたプレゼンテーションが、再配置されたPID値を有する格納されたプレゼンテーションのコピーである間は、前記１つの格納された番組は、基本的に記憶装置の中に残る。
【００１７】
図２は、図１のＮＭＳ１１０において使用するのに適したインタラクティブ番組ガイド(IPG)画面２００の非限定的な一実施形態を示している。前記ＩＰＧ画面２００は、ユーザ入力に応答して提示される。前記ユーザ入力は、リモートコントロール上のガイドキーによる起動を介して提供されうる。前記ＩＰＧ画面２００の右上には、プライマリデバイス１４０の現在合わせてあるチャンネルに対応するビデオが、ビデオスクリーン２３０内に表示される。ビデオエリア２３０のすぐ下は、プライマリデバイス１４０の現在合わせてあるチャンネル番号，今日の曜日および日付，そして現在の時刻を表示するための情報バナー２４０である。
【００１８】
リモートコントロール上の矢印ボタンは、メインプレゼンテーションリスト２６０をスクロールさせるとともに所望のプレゼンテーション２２０を強調表示するのに使用される。ＩＰＧ画面２００の左上部分は、詳細なフォーカスエリア２１０である。前記フォーカスエリア２１０には、現在強調表示されているプレゼンテーション２２０の詳細な情報が含まれている。前記詳細なフォーカスエリア２１０には、チャンネル番号，チャンネルの説明，プレゼンテーション名，プレゼンテーションの所要時間，および／または任意のエピソード情報または格付けが含まれている。ユーザがスクロールし、やがてカレンダーの日付境界(day boundary)２７０を越えると、いろいろなエリアに表示されていた曜日および日付表示が更新される。ＩＰＧ画面２００の一番下のエリア２５０もまた、表示されているプレゼンテーションリストデータの現在の曜日を示している。そのほかにも、オプションの"A" "B"および"C"キーの現在の機能に関する情報が示されている。それらのキーは、リモートコントロール上にありうるとともにＩＰＧとあわせて使用されている。インタラクティブ番組ガイドに関する更なる情報は、２００２年８月２日に出願の米国特許出願第10/212,017号に開示されている。その開示内容および教示内容は、本明細書に参照により組み込まれている。
【００１９】
前記ＩＰＧ２００を表示する場合には、初回配信または以前配信されなかったプレゼンテーションと、それらが２度目、３度目の配信など同じ番組インスタンスのその後のプレゼンテーションとを区別するためにインジケータを使用してもよい。ケーブルオペレータは、番組情報をＨＥ１２０またはＳＴＴに送信している場合に初回配信番組インスタンスを表示することができる。ＨＥ１２０またはＳＴＴは、その後、初回配信番組インスタンスに印をつけるためにインジケータを使用する。初回配信プレゼンテーションのための前記インジケータは、背景色，特殊アイコン，文字色，または特定文字でありうる。もし、前記インジケータが色ならば、初回配信プレゼンテーションのプレゼンテーションフィールドの背景は、初回配信プレゼンテーションではない他の番組インスタンスの背景と異なる色が表示される。初回配信プレゼンテーションのＩＰＧ２００におけるそれ以降の出現も、同じプレゼンテーションの初回出現と異なる色となる。前記色は、標準色またはユーザが設定可能な初期設定による。例えば、もし強調表示されたプレゼンテーション２２０が初回配信プレゼンテーションならば、強調表示されたプレゼンテーション２２０の背景は、黄色で表示してもよい。前記詳細なフォーカスエリア２１０も、前記強調表示されたプレゼンテーション２２０に対応する黄色の背景としてよい。前記詳細なフォーカスエリア２１０は、前記番組が初回配信プレゼンテーションであったことを文字で提示してもよい。
【００２０】
他の実施形態において、前記インジケータは、初回配信プレゼンテーションを、同じプレゼンテーションのその後の配信(occurrences)または前に配信された(aired)プレゼンテーションと区別するために、特別アイコンでありうる。例えば図２において、強調表示されたプレゼンテーション２２０は、タイトル"Good Morning America"の後にアイコン２９０を表示している。詳細フォーカスエリア２１０にも、前記番組が初回配信プレゼンテーションであることを文字で提示するとともに前記アイコン２９０が表示されている。この情報は、ユーザが、リモートコントロール上の"Info"ボタンを使用することにより現在視聴しているプレゼンテーションに関する情報を要求した場合に現れるバナーにも利用可能である。
【００２１】
前記アイコン２９０が正しく表示されるように、ＩＰＧ２００で使用されるフォント文字セットにアイコンを追加してもよいし、また、ビットマップまたはjpegファイルといった図形記号を適切な位置に挿入またはオーバーレイしてもよい。前記アイコン２９０は、予め定義するか、またはＳＴＴのハードディスクドライブ上で提供されるデータベースから、ユーザが選択してもよい。インターネット、パーソナルコンピュータ、またはリムーバブル記憶媒体から画像を前記ＳＴＴまたはＨＥ１２０にダウンロードすることでユーザが独自のアイコンを作成し挿入することもまた可能である。
【００２２】
他の実施形態において、初回配信プレゼンテーションを区別するための前記インジケータは、文字色であってもよい。例えば、強調表示されたプレゼンテーション２２０において、アイコン２９０無しで、"Good Morning America"を背景は標準色であると同時に文字はピンク色で表示してもよい。前記文字色は、所定の色またはユーザにより選択される。
【００２３】
他の実施形態において、前記インジケータは、同じプレゼンテーションのその後の配信(occurrences)から初回配信プレゼンテーションを区別するために特定文字であってもよい。メインプレゼンテーションリスト２６０を見ると、初回配信プレゼンテーションには、プレゼンテーションのタイトルの後ろに"first run（初回配信）"の文字が表示されている。例えば、前記プレゼンテーションフィールド２９２には、"Early Show - first run（初回配信）"という文字がある。前記文字は、プレゼンテーションが強調表示された場合には、詳細フォーカスエリア２１０にも表示される。
【００２４】
図３は、指定期間における初回配信番組インスタンスだけを表示している初回配信番組リスト画面３００の非限定的な例を示している。ＩＰＧ２００を表示している間、ユーザは、ＩＰＧ２００上に表示されている"C"ボタンに対応するリモートコントロール上の"C"ボタンを押すことができる。前記"C"ボタンは、"First Run（初回配信）"と名前がつけられており、前記初回配信番組リスト画面３００に表示される。前記初回配信番組リスト画面３００は、２４時間といった指定期間における初回配信番組インスタンスのみを表示する。例えば、初回配信番組リスト画面３００は、1/17木曜日を選択したものを示している。前記初回配信番組リスト３１０は、最も小さいチャンネル番号における最も早い番組(show)から、すべての初回配信番組インスタンスを表示している。例えば、第１番組インスタンス３２０は、ＡＢＣチャンネル３の朝７時から９時は、"Good Morning America"である。チャンネル３のすべての初回配信番組インスタンスが一度表示され、それに続きチャンネル４のための初回配信番組インスタンスが表示される。前記初回配信番組リスト画面３００は、図２と同様に、格子図形的に番組情報を表示してもよい。
【００２５】
それぞれの番組インスタンスは、ケーブルオペレータにより分類されている。カテゴリは、スポーツ，ニュース，ドラマなどである。詳細フォーカスエリア３３０には、強調表示された番組に関するカテゴリを表示する。例えば、強調表示された番組インスタンス３２０は、"News, Newscasts, & News Magazines"に分類されている。初回配信番組リスト画面３００の下端の前記"C"ボタン３４０は、"Customize"と名前がつけられている。"Customize"オプションは、ユーザにレイアウトおよび初回配信番組リスト画面３００の表示内容のカスタマイズを許可する。例えば、ユーザは、初回配信番組リストをスポーツイベントだけに限定可能である。図４に示されるように、ユーザは、初回配信番組リスト３１０から、"News, Newscasts, & News Magazines"番組を除外する選択も可能である。
【００２６】
図４は、指定されたカテゴリだけの初回配信番組インスタンスを表示している、初回配信番組リスト画面３００の例示である。ニュースなどのいくつかの番組カテゴリでは、毎日、場合によっては日に数回、初回配信番組インスタンスが存在する。これは、初回配信番組リスト３１０が長くなる原因となる。選択したカテゴリだけの初回配信番組リスト３１０にカスタマイズするユーザのためのオプションがある。例えば、もし、"News, Newscasts, & News Magazines"番組が初回配信番組リスト３１０から除外されているならば、前記初回配信番組リスト３１０は、"News, Newscasts, & News Magazines"を除いたすべてのカテゴリの初回配信番組を表示する。
【００２７】
図５は、図１のＮＭＳ１１０のユーザに提示されている、録画された番組リスト５１０の一部を表示している、インタラクティブな録画された番組リスト画面５００の非限定的な例示である。前記録画された番組リストは、リモートコントロール上の特定のボタンまたは対応するチャンネル番号を入力することによりアクセスされる。前記録画された番組リスト画面５００は、例えば、タイトル，録画日と録画時間，および番組の長さを表示しているすべての録画された番組５１０を含むリストを表示する。前記録画された番組リストは、初回配信プレゼンテーションを同じプレゼンテーションのその後の発生から区別するために、インジケータも表示する。初回配信プレゼンテーションのためのインジケータは、背景色，特殊アイコン，文字色，または特定文字であってよい。ユーザは、録画された番組リスト５００上に、どのインジケータを表示させるかを選択可能である。
【００２８】
もし、背景色がインジケータとして選択された場合、タイトル，録画時間，および長さを含んでいるフィールドの背景は、その指定色となる。例えば、強調表示されたプレゼンテーション５２０の背景を、初回配信プレゼンテーションを意味するために黄色の背景色にしてもよい。特殊アイコンがインジケータの場合、前記アイコンは、タイトルの直前または直後に表示してもよい。例えば、強調表示されたプレゼンテーション５２０は、タイトル"JAG"の右に位置するアイコン５３０を有する。その文字の色もインジケータとして使用してもよい。文字は通常白色で表示されるが、初回配信プレゼンテーションは緑色で表示してもよい。例えば、強調表示されたプレゼンテーション５２０の、タイトル"JAG"，日付"Thu 10/19"，録画時間"8:00 pm"および長さ"1 hr 0 min"は、すべて緑色で表示される。特定文字を前記インジケータとしてもよい。文字はプレゼンテーションのタイトルの直後に"first run（初回配信）"とイタリック体で提示し配置してよい。
【００２９】
図６は、インタラクティブな録画された番組リスト画面６００の非限定的な例示である。前記番組リスト画面６００は、図１のＮＭＳ１１０のユーザに提示されている録画された番組リスト６１０の一部を表示している。上述した同一のインジケータが、録画された番組リスト６１０上で、ユーザにより視聴された番組と、視聴されていない番組とを区別するために使用される。家庭内のあるユーザは、一見しただけで、録画された番組リスト６１０上の録画された番組を第２ユーザが視聴したかどうかが分かる。これは、ＳＴＴのハードディスクドライブ上の空き容量(space)がさらに必要となったため、ユーザが番組の削除を望む場合や、テレビ視聴の監視(monitor)を望む場合に便利である。プライマリデバイスのみの家庭では、前記インジケータは、背景色，特殊アイコン，文字色，または特定文字であってよい。
【００３０】
もし、背景色がインジケータとして選択されたならば、タイトル，日付，録画時間，および長さを含んでいるフィールドの背景は、指定色となる。例えば、強調表示されたプレゼンテーション６２０は、プレゼンテーションがすでに視聴されたことを示すために黄色の背景としてもよい。特殊アイコンがインジケータである場合には、アイコンは、タイトルの直前または直後に表示される。例えば、強調表示されたプレゼンテーション６２０においては、タイトル"JAG"の右に配置された花アイコン６３０である。文字の色もインジケータとして使用してよい。文字は通常白色で表示されるが、少なくともプレゼンテーションの一部が視聴された後は、緑色で表示してもよい。例えば、強調表示されたプレゼンテーション５２０の、タイトル"JAG"，日付"Thu 10/19"，録画時間"8:00 pm"および長さ"1 hr 0 min"は、すべて緑色の文字で表示される。特定文字もインジケータとして使用できる。文字は、プレゼンテーションのタイトルの直後に"Has Been Viewed"とイタリック体で提示し配置してよい。
【００３１】
マルチルーム環境において、特定アイコンまたは特定文字は、録画された番組リスト６１０が視聴済であることを示すインジケータとして使用してもよい。家庭内のそれぞれのユーザまたはデバイスは、異なるアイコンか名前で割り当てまたは選択されうる。１５０−１といったリモートデバイスが、録画された番組リストから番組にアクセスするとともに少なくとも前記番組の一部を視聴する場合、リモートデバイス１５０−１に割り当てられた前記アイコンは、前記番組の隣に表示されうる。もしくは、"Kid's Room"というようにデバイスに割り当てられた名前も番組の隣に表示される。もし第２ユーザまたは第２リモートデバイスが同じ番組にアクセスした場合には、異なるアイコンが第１アイコンの隣に表示される。例えば、もし家庭のあるメンバーが花アイコンに割り当てられているとともにプレゼンテーション６２０の"JAG"を視聴する場合、前記花アイコン６３０はタイトル"JAG"の隣に表示される。もしサッカーボールアイコンが割り当てられた家庭の第２メンバーも"JAG"を視聴する場合、その後サッカーボールアイコンが花アイコン６３０の隣に表示される。
【００３２】
上述の本発明の実施形態は単に可能な実施例であることを強調しなければならない。とりわけ、明確な本発明の原理の理解のために説明したものである。本発明の原理を逸脱することなく、多くの変形および修正が本発明の上述の実施形態になされうる。そのようなすべての変形および修正は、開示および発明の範囲内において本明細書に含まれるとともに、以下の特許請求の範囲により保護されていことを意図する。さらに、本発明の範囲は、ハードウェアおよび／またはソフトウェアにより構成された媒体に具体化されたロジックで本発明の実施形態の機能を具体化することを含む。
【符号の説明】
【００３３】
１１０      ネットワーク化されたマルチルームシステム
１４０      プライマリデバイス
１５０−１，１５０−２，１５０−３      理モードデバイス
２００      インタラクティブ番組ガイド(IPG)画面
３００      指定期間における初回配信番組インスタンスだけを表示している初回配信番組リスト画面
４００      指定されたカテゴリだけの初回配信番組インスタンスを表示している、初回配信番組リスト画面
５００      録画された番組リスト５１０の一部を表示している、インタラクティブな録画された番組リスト画面
６００      録画された番組リスト６１０の一部を表示している、インタラクティブな録画された番組リスト画面
【図１】
2010511328.tif 000003
【図２】
2010511328.tif 000004
【図３】
2010511328.tif 000005
【図４】
2010511328.tif 000006
【図５】
2010511328.tif 000007
【図６】
2010511328.tif 000008
【国際調査報告】
2010511328.tif 000009
2010511328.tif 000010
2010511328.tif 000011
2010511328.tif 000012
2010511328.tif 000013